(57)【要約】【課題】開封状態にする際に取り扱われるツマミ又はバンドに関する開封操作情報を、蓋において明確に表示することが可能な包装用容器を提供すること。【解決手段】包装用容器１は、本体２と、本体２に取り付けられることによって係着される蓋６と、本体２に設けられ、本体２から切り離されることによって、本体２と蓋６との係着状態を解消する上側周壁１９と、本体２において、上側周壁１９に設けられ、上側周壁１９を本体２から切り離すために用いられる第１ツマミ２３及び第２ツマミ２４と、本体２及び蓋６の外周の一部に設けられ、本体２及び蓋６の外周の中では特異な形状をなす異形状部５，９とを備える。本体２と蓋６との間で異形状部５，９が対向状態にある場合に限って、蓋６が本体２に取り付け可能になる。【選択図】図１
2020175941.tif 000002
【特許請求の範囲】
【請求項１】
本体と、
前記本体に取り付けられることによって係着される蓋と、
前記本体に設けられ、前記本体から切り離されることによって、前記本体と前記蓋との係着状態を解消するバンドと、
前記本体において、前記バンドに設けられ、前記バンドを前記本体から切り離すために用いられるツマミと、
前記本体及び前記蓋の外周の一部に設けられ、前記本体及び前記蓋の外周の中では特異な形状をなす異形状部とを備え、
前記本体と前記蓋との間で前記異形状部同士が対向状態にある場合に限って、前記蓋が前記本体に取り付け可能になることを特徴とする包装用容器。
【請求項２】
前記蓋に配設された情報表示領域を備え、
前記情報表示領域は、前記蓋が前記本体に取り付けられた状態において、前記本体の前記ツマミに隣り合うことを特徴とする請求項１に記載の包装用容器。
【請求項３】
前記包装用容器は、平面視で四隅及び四辺を有する略矩形状をなし、
前記四隅の一つは、前記異形状部であって、前記四隅のうち、最も大きく面取り形成がなされた特定隅部であり、
前記ツマミは、前記特定隅部から突き出し、前記包装用容器の前記四辺で形成される外寸矩形内に存在することを特徴とする請求項１又は請求項２に記載の包装用容器。
【発明の詳細な説明】
【技術分野】
【０００１】
本発明は、ツマミを用いて本体の一部が帯状に切り離されることによって開封状態になる包装用容器に関するものである。
【背景技術】
【０００２】
従来より、上記の包装用容器に関し、種々の技術が提案されている。例えば、下記特許文献１に記載の食品包装用容器は、本体と、本体上部の開口を覆う蓋と、を備え、本体の側面を形成する側板の上部には、内板と外板と中板とで構成される逆Ｕ字状断面の受け片が環状に形成され、蓋の外縁部には、内板と外板と中板とで構成される逆Ｕ字状断面の被せ片が環状に形成され、本体の受け片は、軟質樹脂を素材としており、また蓋の被せ片は、受け片よりも硬質の樹脂を素材としており、前記受け片は、嵌まり込む被せ片の押圧によって弾性変形し、双方の内板および外板が密着するように構成されており、本体の内板には、対向する蓋の内板に向けて突出する止水体が環状に形成されていることを特徴とする。
【０００３】
そのほか帯部は、本体の外板を取り囲むように配置され、外板と帯部は下方で連結されており、これらでＵ字状の断面が形成され、外板と帯部との間に、蓋の外板を差し込むことができる。なお帯部の内周面の中央付近には、表面をクサビ状に削り取った凹部が環状に形成されており、また蓋の外板の外周面には、表面から突出した凸部が環状に形成されている。そのため本体に蓋を取り付けた際は、凹部と凸部が噛み合い、本体と蓋が一体の未開封状態になる。
【０００４】
また容器の角部には、帯部と一体になったツマミがあり、このツマミを引き出して、帯部の上半分を切り離した後、蓋を取り外すことができる。
【０００５】
帯部の上半分が切り離されているため、蓋は、受け片と被せ片だけで固定されている。この状態でも、受け片と被せ片の全面が接触して十分な密閉性が維持され、内容物の劣化を抑制できる。しかも蓋の取り付けは、受け片と被せ片の弾性変形だけを利用しているため、開閉を繰り返した場合でも、密閉性が悪化することはない。
【先行技術文献】
【特許文献】
【０００６】
【特許文献１】特開２００９−６７３９３号公報
【発明の概要】
【発明が解決しようとする課題】
【０００７】
しかしながら、例えば、容器が正方形であれば蓋の取付向きは４つあり、容器が長方形であれば蓋の取付向きは２つあり、容器が円形であれば、蓋は、いずれの向きでも取付可能である。そのため、ツマミの位置又はツマミの引き出し方等を示す表示機能を蓋に備えさせたい場合、蓋の取付向きによっては、その表示がツマミから懸け離れて消費者に伝わり難い虞があった。
【０００８】
そこで、本発明は、上述した点を鑑みてなされたものであり、開封状態にする際に取り扱われるツマミ又はバンドに関する開封操作情報を、蓋において明確に表示することが可能な包装用容器を提供することを課題とする。
【課題を解決するための手段】
【０００９】
この課題を解決するためになされた請求項１に係る発明は、包装用容器であって、本体と、本体に取り付けられることによって係着される蓋と、本体に設けられ、本体から切り離されることによって、本体と蓋との係着状態を解消するバンドと、本体において、バンドに設けられ、バンドを本体から切り離すために用いられるツマミと、本体及び蓋の外周の一部に設けられ、本体及び蓋の外周の中では特異な形状をなす異形状部とを備え、本体と蓋との間で異形状部同士が対向状態にある場合に限って、蓋が本体に取り付け可能になることを特徴とする。
【００１０】
請求項２に係る発明は、請求項１に記載の包装用容器であって、蓋に配設された情報表示領域を備え、情報表示領域は、蓋が本体に取り付けられた状態において、本体のツマミに隣り合うことを特徴とする。
【００１１】
請求項３に係る発明は、請求項１又は請求項２に記載の包装用容器であって、包装用容器は、平面視で四隅及び四辺を有する略矩形状をなし、四隅の一つは、異形状部であって、四隅のうち、最も大きく面取り形成がなされた特定隅部であり、ツマミは、特定隅部から突き出し、包装用容器の四辺で形成される外寸矩形内に存在することを特徴とする。
【発明の効果】
【００１２】
請求項１に係る発明の包装用容器は、本体のツマミが用いられた、バンドの本体からの切り離しによって、本体と蓋との係着状態が解消され、開封状態になる。よって、ツマミ及びバンドは、開封状態にする際に取り扱われるものである。更に、請求項１に係る発明の包装用容器では、本体と蓋との間で異形状部同士が対向状態にある場合に限って、蓋が本体に取り付け可能になるので、本体に対する蓋の取付向きが特定される。そのため、蓋が本体に取り付けられた状態では、本体のツマミと蓋との相対的位置関係が一定である。従って、請求項１に係る発明の包装用容器では、蓋が本体に取り付けられると、本体のツマミと蓋との相対的位置関係が異形状部で定まるので、開封状態にする際に取り扱われるツマミ又はバンドに関する開封操作情報を、蓋において明確に表示することが可能である。
【００１３】
また、請求項１に係る発明の包装用容器では、本体と蓋との間で異形状部同士が対向状態にある場合に限って、蓋が本体に取り付け可能になるので、上記開封操作情報が表示される蓋の取付向きが複数ある場合と比べると、取付時の作業性が向上する。
【００１４】
更に、請求項１に係る発明の包装用容器では、本体の異形状部にツマミが設けられると、本体と蓋との間で対向状態にある異形状部同士が、ツマミ（つまり、バンドが本体から切り離される起点）の位置を示すので、上記開封操作情報の表示機能として働く。
【００１５】
請求項２に係る発明の包装用容器では、蓋の情報表示領域に上記開封操作情報が表示されると、蓋が本体に取り付けられた状態において、上記開封操作情報が本体のツマミに隣り合う。これにより、請求項２に係る発明の包装用容器は、上記開封操作情報を蓋において明確に表示することが確実である。
【００１６】
請求項３に係る発明の包装用容器は、平面視で四隅及び四辺を有する略矩形状をなしている。四隅の一つは、異形状部であって、四隅のうち、最も大きく面取り形成がなされた特定隅部である。これにより、本包装用容器の四辺で形成される外寸矩形内では、異形状部である特定隅部に、最も大きな空間が存在する。そのため、請求項３に係る発明の包装用容器では、特定隅部から突き出したツマミを、本包装用容器の四辺で形成される外寸矩形から飛び出さない範囲で最も大きくすることが可能である。従って、請求項３に係る発明の包装用容器は、特定隅部から突き出したツマミを複数設けても、各ツマミを指先で挟むことが可能なサイズで確保することが可能である。
【００１７】
請求項３に係る発明の包装用容器では、四隅の一つが、ツマミが突き出た特定隅部であって、四隅の中で最も大きく面取り形成がなされたものであることから、四隅の全てをツマミの突出スペース確保等のために大きく面取りする場合と比べると、容量の減少を抑えることが可能である。
【００１８】
請求項３に係る発明の包装用容器は、その四辺で形成される外寸矩形からツマミが飛び出しておらず、輸送時等の不可抗力でツマミが千切れることが困難なので、ツマミが千切れることによって生じる、密封性や未開封に対する疑念が防止される。
【図面の簡単な説明】
【００１９】
【図１】本発明の実施形態の包装用容器１が表された分解斜視図である。
【図２】包装用容器１が上方から表された斜視図である。
【図３】包装用容器１が下方から表された斜視図である。
【図４】包装用容器１の一部が上方から表された拡大斜視図である。
【図５】包装用容器１の一部が下方から表された拡大斜視図である。
【図６】包装用容器１が表された平面図である。
【図７】包装用容器１が表された正面図である。
【図８】包装用容器１を図６の線I−Iで切断した断面が表された図である。
【図９】図８の一部（本体２の着脱部１５と蓋６の被着脱部８１）が表された拡大断面図である。
【図１０】上側周壁１９が本体２から分離した状態の包装用容器１を図６の線I−Iで切断した断面が表された図である。
【図１１】図１０の一部（本体２の着脱部１５と蓋６の被着脱部８１）が表された拡大断面図である。
【発明を実施するための形態】
【００２０】
以下、本発明に係る包装用容器１について、具体化した本実施形態に基づき、図面を参照しつつ説明する。本実施形態の包装用容器１は、第１ツマミ２３又は第２ツマミ２４を起点として上側周壁１９が本体２から切り離されることによって開封状態になるものである。尚、符号Ｄ１の方向は包装用容器１の高さ方向（つまり、上下方向）を示し、符号Ｄ２の方向は包装用容器１の幅方向を示し、符号Ｄ３の方向は包装用容器１の奥行方向を示している。各方向Ｄ１，Ｄ２，Ｄ３は、互いに直交する関係にある。
【００２１】
（１）包装用容器１
図１乃至図３に表されたように、包装用容器１は、平面視で略矩形状をなし、本体２及び蓋６を備えている。本体２は、ポリプロピレン等の樹脂を材料とした金型成形によって形作られており、底壁１１、支持突部１２、側壁１３、着脱部１５、開口部１６、及び上端外周壁１８等で構成されている。
【００２２】
底壁１１は、本体２の底であって、平面視で略矩形状をなし、その周縁域が下方向へ僅かに窪んでいる。支持突部１２は、本体２の基台であって、底壁１１の周縁域の全周に亘って、底壁１１の周縁域から下方向へ延出している。
【００２３】
側壁１３は、底壁１１の周縁の全周に亘って、底壁１１の周縁から上方向へ延出することによって、略角筒状をなしている。更に、側壁１３は、上方向へ向かうに連れて、本体２の外方へ僅かに傾斜している。着脱部１５は、側壁１３の上端部分をなすものであって、後述する形状によって、蓋６が着脱自在に取り付けられるものである。
【００２４】
開口部１６は、本体２の上側が開放されたものであって、側壁１３の上端内縁から本体２の内方向へ向かう側に形成されており、幅方向Ｄ２及び奥行方向Ｄ３に対して平行な略矩形状をなしている。上端外周壁１８は、側壁１３の上端部分（つまり、着脱部１５）において、側壁１３の上端内縁よりも本体２の外方向へ向かう側に設けられており、高さが側壁１３よりも低い略角筒状をなしている。
【００２５】
上端外周壁１８は、上側周壁１９、下側周壁２０、及び薄肉周壁２１等で構成されている。上側周壁１９は、上端外周壁１８のうち、その上側を占める部分である。下側周壁２０は、上端外周壁１８のうち、その下側を占める部分であって、後述する形状によって、側壁１３の上端内縁に連なっている。薄肉周壁２１は、上端外周壁１８のうち、上側周壁１９と下側周壁２０との間を占める部分であって、後述する形状によって、上側周壁１９及び下側周壁２０よりも厚みが少なく形成されている。
【００２６】
更に、上端外周壁１８には、第１ツマミ２３、第２ツマミ２４、及び指掛け部３２が設けられている。第１ツマミ２３及び第２ツマミ２４は、上端外周壁１８の上側周壁１９から本体２の外方向へ突出している。指掛け部３２は、第２ツマミ２４から下方向へ向かう側において、上端外周壁１８の下側周壁２０から本体２の外方向へ突出している。
【００２７】
そのような構成を有する本体２は、平面視で、四つの隅部３及び四つの辺部４を有する略矩形状をなしている。四つの隅部３のうち、一つの隅部３は、所謂Ｃ面取り状に形成された特定隅部５である。これに対して、特定隅部５以外の三つの隅部３は、特定隅部５よりも本体２の外方向へ突き出した、所謂Ｒ面取り状に形成されている。すなわち、四つの隅部３のうち、一つの隅部３である特定隅部５は、最も大きく面取り形成がなされている。
【００２８】
また、特定隅部５は、本体２の外周の一部であって、本体２の外周の中では、四つの辺部４と所謂Ｒ面取り状の三つの隅部３と比べて、特異な箇所である。そこで、以下の説明では、特定隅部５は、「異形状部５」と表記されることがある。従って、符号５は、重複して使用されており、本体２の「特定隅部」又は「異形状部」を示している。
【００２９】
更に、特定隅部５では、上述した第１ツマミ２３、第２ツマミ２４、及び指掛け部３２が、上端外周壁１８から本体２の外方向へ突出している。尚、第１ツマミ２３、第２ツマミ２４、及び指掛け部３２の更なる詳細な説明については、後述する。
【００３０】
蓋６は、透明性が高いポリスチレン等の樹脂を材料とした金型成形によって形作られており、ベース壁７１、垂下壁７４、天井壁７７、及び被着脱部８１等で構成されている。ベース壁７１は、蓋６の枠であって、その輪郭が略矩形の環状をなしている。垂下壁７４は、ベース壁７１の内周縁の全周に亘って、ベース壁７１の内周縁から下方向へ延出することによって、略角筒状をなしている。
【００３１】
天井壁７７は、垂下壁７４の下端周縁の全周に亘って、垂下壁７４の下端周縁から蓋６の内方向へ延出することによって、幅方向Ｄ２及び奥行方向Ｄ３に対して平行な略矩形状をなしている。これにより、ベース壁７１の内周縁から蓋６の内方向へ向かう側は、垂下壁７４及び天井壁７７によって下方向へ窪んだ凹部になっている。
【００３２】
被着脱部８１は、ベース壁７１の下側及び垂下壁７４の外側（つまり、蓋６の外方向側）で形成されるものであって、本体２の着脱部１５に着脱自在に取り付けられるものである。蓋６の被着脱部８１が本体２の着脱部１５に取り付けられると、蓋６によって本体２の開口部１６が覆い塞がれる。
【００３３】
そのような構成を有する蓋６は、平面視で、四つの隅部７及び四つの辺部８を有する略矩形状をなしている。四つの隅部７のうち、一つの隅部７は、所謂Ｃ面取り状に形成された特定隅部９である。これに対して、特定隅部９以外の三つの隅部７は、特定隅部９よりも蓋６の外方向へ突き出した、所謂Ｒ面取り状に形成されている。すなわち、四つの隅部７のうち、一つの隅部７である特定隅部９は、最も大きく面取り形成がなされている。
【００３４】
また、特定隅部９は、蓋６の外周の一部であって、蓋６の外周の中では、四つの辺部８と所謂Ｒ面取り状の三つの隅部７と比べて、特異な箇所である。そこで、以下の説明では、特定隅部９は、「異形状部９」と表記されることがある。従って、符号９は、重複して使用されており、蓋６の「特定隅部」又は「異形状部」を示している。
【００３５】
以上より、包装用容器１では、蓋６の異形状部９が本体２の異形状部５と高さ方向Ｄ１で対向状態にある場合に限って、蓋６が本体２に取り付けられることが可能である。
【００３６】
図４乃至図７に表されたように、包装用容器１において、蓋６が本体２に取り付けられると、本体２の異形状部５から突出した第１ツマミ２３、第２ツマミ２４、及び指掛け部３２は、蓋６の異形状部９から蓋６の外方向へ向かう側に位置する。
【００３７】
第１ツマミ２３は、平面視で略短冊形状をなし、第１リブ２３Ａ、孔部２３Ｂ、及び第２リブ２３Ｃを有している。第１リブ２３Ａは、幅方向Ｄ２に平行な縁端域であって本体２の外方向側にある縁端域から、奥行方向Ｄ３に平行な縁端域に亘って、それらの縁端域から上方向へ突出することにより、平面視で略Ｌ字状に形成されている。孔部２３Ｂは、第１リブ２３Ａから本体２の内方向側に形成された貫通孔である。第２リブ２３Ｃは、幅方向Ｄ２に平行な縁端域であって本体２の外方向側の縁端域から下方向へ突出することにより、平面視で略Ｉ字状に形成されている。尚、第１リブ２３Ａ及び第２リブ２３Ｃは、それらの一部が、幅方向Ｄ２に平行な縁端であって本体２の外方向側の縁端において連なっている。
【００３８】
第２ツマミ２４は、平面視で略三角形状をなし、第１ツマミ２３から本体２の内方向側において、第１ツマミ２３から所定間隔を置いた状態で設けられている。第２ツマミ２４は、リブ２４Ａを有している。リブ２４Ａは、幅方向Ｄ２に平行な縁端域から、奥行方向Ｄ３に平行な縁端域に亘って、それらの縁端域から上方向へ突出することにより、平面視で略Ｌ字状に形成されている。
【００３９】
指掛け部３２は、平面視で略半円状をなし、第２ツマミ２４から下方向へ向かう側に設けられている。
【００４０】
第１ツマミ２３及び第２ツマミ２４の下側には、スリット部２５が、第１ツマミ２３及び第２ツマミ２４に沿って形成されている。スリット部２５は、幅方向Ｄ２及び奥行方向Ｄ３に対して平行な細長い間隙であり、その長尺方向の中央付近において、第１ツマミ２３と第２ツマミ２４の間（空間）に連なっている。これにより、上端外周壁１８の上側周壁１９は分離されている。
【００４１】
蓋６の被着脱部８１が本体２の着脱部１５に初めて取り付けられた場合には、後述するようにして、蓋６の被着脱部８１と本体２の着脱部１５とが係止状態にあるので、使用者は、蓋６を本体２から取り外すことが困難である。しかしながら、例えば、使用者が右手で本体２の第１ツマミ２３をつまんで反時計回りへ引っ張ったり、使用者が左手で本体２の第２ツマミ２４をつまんで時計回りへ引っ張ると、本体２の上端外周壁１８において、薄肉周壁２１がスリット部２５を起点として破断して、上側周壁１９と下側周壁２０とが引き裂かれ、上側周壁１９が本体２から分離する。これにより、蓋６の被着脱部８１と本体２の着脱部１５との係止状態が解消されるので、使用者は、蓋６を本体２から取り外すことが可能になる。
【００４２】
尚、使用者は、第１ツマミ２３又は第２ツマミ２４をつまんだ以外の手で本体２の指掛け部３２をつまんで保持すれば、第１ツマミ２３又は第２ツマミ２４をスムーズに引っ張ることが可能である。また、使用者は、第１ツマミ２３の孔部２３Ｂに挿入した爪楊枝等を引っ張れば、第１ツマミ２３を容易に引っ張ることが可能である。
【００４３】
このようにして、本体２の上端外周壁１８において、上側周壁１９が本体２から分離することによって、包装用容器１が開封状態になると、その後は、蓋６の被着脱部８１が本体２の着脱部１５に着脱自在に取り付けられる。
【００４４】
蓋６（の被着脱部８１）が本体２（の着脱部１５）に取り付けられると、本体２の異形状部５から突出した第１ツマミ２３、第２ツマミ２４、及び指掛け部３２は、上述したように、蓋６の異形状部９から蓋６の外方向へ向かう側に位置すると共に、図６に表された外寸矩形Ａ内に存在する。外寸矩形Ａは、蓋６の四つの辺部８が幅方向Ｄ２及び奥行方向Ｄ３に対して平行な横方向（以下、「水平方向」という。）へ延長したことによって形成されるものであり、更に、本体２の四つの辺部４が水平方向へ延長したことによって形成されるものでもある。
【００４５】
更に、蓋６には、図６に表された情報表示領域Ｂが設けられている。情報表示領域Ｂは、蓋６の異形状部９に対して蓋６の内方向側から隣接する領域である。よって、情報表示領域Ｂは、蓋６（の被着脱部８１）が本体２（の着脱部１５）に取り付けられると、本体２の異形状部５から突出した第１ツマミ２３、第２ツマミ２４、及び指掛け部３２と隣り合う状態になる。
【００４６】
情報表示領域Ｂには、印刷ラベルの貼付、印刷、刻印、又は筆記等が行われることによって、開封操作情報が表示される。開封操作情報とは、使用者が上述したようにして包装用容器１を開封状態にする際に取り扱われる、第１ツマミ２３、第２ツマミ２４、及び指掛け部３２に関する情報や、本体２から分離される上側周壁１９に関する情報である。
【００４７】
（２）本体２の着脱部１５と蓋６の被着脱部８１
以下では、本体２の着脱部１５と蓋６の被着脱部８１について、それらの形状や取付状態を、図８乃至図１１を参照して説明する。
【００４８】
先ず、本体２の着脱部１５の形状について説明する。着脱部１５は、上述したように、側壁１３の上端部分をなすものであることから、略角筒状をなしている。着脱部１５は、上記の上端外周壁１８に加えて、下側連結壁２６、中間対向壁２７、上側連結壁２８、内側対向壁２９、圧接突部３０、及び段差部３１等で構成されている。
【００４９】
上端外周壁１８は、上方向へ向かうに連れて本体２の外方向へ傾斜している。上端外周壁１８は、上記の上側周壁１９、下側周壁２０、及び薄肉周壁２１に加えて、係止溝２２で構成されている。係止溝２２は、上端外周壁１８の内面（つまり、本体２の内方向側の面）において、高さ方向Ｄ１の中央よりも若干上側から上端外周壁１８の外面（つまり、本体２の外方向側の面）が在る方向へ窪んだものである。このような係止溝２２が上端外周壁１８の内面の全周に亘って設けられることによって、上端外周壁１８の薄肉周壁２１が形成されている。
【００５０】
下側連結壁２６は、上端外周壁１８の下側周壁２０の下端周縁の全周に亘って、下側周壁２０の下端周縁から本体２の内方向へ延出しており、幅方向Ｄ２及び奥行方向Ｄ３に対して平行に設けられている。中間対向壁２７は、下側連結壁２６の内周縁の全周に亘って、下側連結壁２６の内周縁から上方向へ延出しており、上方向へ向かうに連れて本体２の内方向へ傾斜している。
【００５１】
これにより、中間対向壁２７は、水平方向において、上端外周壁１８に対して距離的に離間する。また、中間対向壁２７と上端外周壁１８との間は、上方向へ向かうに連れて水平方向に広がっている。更に、中間対向壁２７と上端外周壁１８との間では、その上側が開放されている。
【００５２】
上側連結壁２８は、中間対向壁２７の上端周縁の全周に亘って、中間対向壁２７の上端周縁から本体２の内方向へ延出しており、幅方向Ｄ２及び奥行方向Ｄ３に対して平行に設けられている。尚、上側連結壁２８の内縁は、側壁１３の上端内縁である。よって、側壁１３の上端内縁は、上側連結壁２８、中間対向壁２７、及び下側連結壁２６を経て、上端外周壁１８の下側周壁２０に連なっている。
【００５３】
内側対向壁２９は、上側連結壁２８の内周縁の全周に亘って、上側連結壁２８の内縁である側壁１３の上端内縁から下方向へ延出している。これにより、内側対向壁２９は、水平方向において、中間対向壁２７に対して距離的に離間する。また、内側対向壁２９と中間対向壁２７との間は、下方向へ向かうに連れて水平方向に広がっている。更に、内側対向壁２９と中間対向壁２７との間では、その下側が開放されている。
【００５４】
圧接突部３０は、内側対向壁２９の内面（つまり、本体２の内方向側の面）において、高さ方向Ｄ１の中央よりも上側から本体２の内方向へ突出しており、内側対向壁２９の内面の全周に亘って設けられている。段差部３１は、内側対向壁２９の下端であって、内側対向壁２９を含む側壁１３の外面が段差状に形成されたものである。段差部３１の下面（段差面）は、下側連結壁２６の下面よりも上方に位置する位置関係にある。
【００５５】
蓋６は、上記のベース壁７１、垂下壁７４、天井壁７７、及び被着脱部８１に加えて、蓋側外周壁８２、係止突部８３、及び規制突部８４等で構成されている。ベース壁７１は、上述したように、その輪郭が略矩形の環状をなし、水平壁７２及び延長壁７３等を備えている。水平壁７２及び延長壁７３は、水平方向に延在している。水平壁７２は、ベース壁７１のうち、その内縁の側（つまり、蓋６の内方向側）を占める部位である。これに対して、延長壁７３は、ベース壁７１のうち、その内縁の反対側（つまり、蓋６の外方向側）を占める部位である。
【００５６】
蓋側外周壁８２は、ベース壁７１の全周に亘って、ベース壁７１の延長壁７３から下方向へ突出することによって、その突出高さが本体２の上端外周壁１８よりも若干低い略角筒状をなしている。これにより、蓋側外周壁８２は、水平方向において、垂下壁７４に対して距離的に離間する。また、蓋側外周壁８２と垂下壁７４との間では、その下側が開放されている。
【００５７】
更に、蓋側外周壁８２は、下方向へ向かうに連れて蓋６の外方向へ傾斜している。そのため、蓋側外周壁８２と垂下壁７４との間は、下方向へ向かうに連れて水平方向に広がっている。
【００５８】
係止突部８３は、蓋側外周壁８２の外面（つまり、蓋６の外方向側の面）において、高さ方向Ｄ１の中央よりも若干下側から蓋６の外方向へ突出しており、蓋側外周壁８２の外面の全周に亘って設けられている。規制突部８４は、ベース壁７１の上面において、水平方向の略中央よりも若干、蓋６の内方向側、つまり水平壁７２と延長壁７３とが連なる箇所から上方向へ突出しており、ベース壁７１の上面の全周に亘って設けられている。
【００５９】
被着脱部８１は、上述したベース壁７１の水平壁７２と延長壁７３、垂下壁７４、蓋側外周壁８２、及び係止突部８３等で構成されている。
【００６０】
本体２の着脱部１５に蓋６の被着脱部８１が初めて取り付けられるためには、蓋６の蓋側外周壁８２が、本体２の上端外周壁１８と中間対向壁２７との間に、その開放上側から押し入れられる。同時に、本体２の中間対向壁２７、上側連結壁２８、及び内側対向壁２９が、蓋６の蓋側外周壁８２と垂下壁７４との間に、その開放下側から押し入れられる。
【００６１】
その際、蓋６のベース壁７１の延長壁７３が、本体２の上端外周壁１８の上側周壁１９に突き当たり、蓋６のベース壁７１の水平壁７２が、本体２の上側連結壁２８に突き当たると、蓋６の蓋側外周壁８２の係止突部８３が、本体２の上端外周壁１８の係止溝２２に係り合う。これにより、蓋６の被着脱部８１と本体２の着脱部１５とが係止状態になり、本体２の着脱部１５に蓋６の被着脱部８１が初めて取り付けられる。
【００６２】
また、本体２の着脱部１５に蓋６の被着脱部８１が取り付けられると、本体２の内側対向壁２９の圧接突部３０が、蓋６の垂下壁７４を押圧する。その押圧によって、本体２の着脱部１５に蓋６の被着脱部８１が取り付けられた状態が安定する。更に、その押圧の反力によって、蓋６の蓋側外周壁８２の係止突部８３が、本体２の上端外周壁１８の係止溝２２に押し付けられると、本体２の着脱部１５に蓋６の被着脱部８１が取り付けられた状態に加えて、蓋６の被着脱部８１と本体２の着脱部１５との係止状態が強固になる。
【００６３】
尚、上述したようにして、蓋６の上端外周壁１８において、上側周壁１９と下側周壁２０とが引き裂かれると、上側周壁１９が本体２から分離し、係止溝２２の上側半分が失われるので、蓋６の被着脱部８１と本体２の着脱部１５との係止状態が解消される。これにより、使用者は、本体２（の着脱部１５）から蓋６（の被着脱部８１）を取り外すことが可能になる。
【００６４】
また、本体２の着脱部１５に蓋６の被着脱部８１が再び取り付けられても、蓋６の上端外周壁１８では、係止溝２２の上側半分が既に失われており、蓋６の被着脱部８１と本体２の着脱部１５とが係止状態に戻ることはない。そのため、蓋６の上端外周壁１８において、上側周壁１９が本体２から分離した後では、本体２の着脱部１５に蓋６の被着脱部８１が着脱自在に取り付けられる。
【００６５】
（３）まとめ
以上詳細に説明した通り、本実施形態の包装用容器１は、本体２の第１ツマミ２３又は第２ツマミ２４が用いられた、上側周壁１９の本体２からの切り離しによって、本体２と蓋６との係着状態が解消され、開封状態になる。よって、第１ツマミ２３、第２ツマミ２４、及び上側周壁１９は、開封状態にする際に取り扱われるものである。更に、本実施形態の包装用容器１では、蓋６の異形状部９が本体２の異形状部５と高さ方向Ｄ１で対向状態にある場合に限って、蓋６が本体２に取り付け可能になるので、本体２に対する蓋６の取付向きが特定される。そのため、蓋６が本体２に取り付けられた状態では、本体２の第１ツマミ２３及び第２ツマミ２４と蓋６との相対的位置関係が一定である。
【００６６】
従って、本実施形態の包装用容器１では、蓋６が本体２に取り付けられると、本体２の第１ツマミ２３及び第２ツマミ２４と蓋６との相対的位置関係が、本体２の異形状部５及び蓋６の異形状部９で定まるので、開封状態にする際に取り扱われる第１ツマミ２３、第２ツマミ２４、又は上側周壁１９に関する開封操作情報を、蓋６において明確に表示することが可能である。
【００６７】
また、本実施形態の包装用容器１では、上述したように、蓋６の異形状部９が本体２の異形状部５と高さ方向Ｄ１で対向状態にある場合に限って、蓋６が本体２に取り付け可能になるので、上記開封操作情報が表示される蓋６の取付向きが複数ある場合と比べると、取付時の作業性が向上する。
【００６８】
本実施形態の包装用容器１では、蓋６の情報表示領域Ｂに上記開封操作情報が表示されており、蓋６が本体２に取り付けられた状態において、上記開封操作情報が本体２の第１ツマミ２３及び第２ツマミ２４に隣り合う。これにより、本実施形態の包装用容器１では、上記開封操作情報を蓋６において明確に表示することが確実に行われている。
【００６９】
本実施形態の包装用容器１において、本体２と蓋６は、平面視で、四つの隅部３，７及び四つの辺部４，８を有する略矩形状をなしている。四つの隅部３，７は、異形状部５，９であって、四つの隅部３，７のうち、最も大きく面取り形成がなされた特定隅部５，９である。これにより、本体２と蓋６の四つの辺部４，８で形成される外寸矩形Ａ内では、異形状部５，９である特定隅部５，９に、最も大きな空間が存在する。
【００７０】
そのため、本実施形態の包装用容器１では、本体２の特定隅部５から突き出した第１ツマミ２３及び第２ツマミ２４等を、本包装用容器１の四つの辺部４，８で形成される外寸矩形Ａから飛び出さない範囲で最も大きくすることが可能である。従って、本実施形態の包装用容器１は、上側周壁１９が反時計回りと時計回りの双方向で本体２から分離可能にするため、第１ツマミ２３及び第２ツマミ２４等を本体２の特定隅部５から突き出して設けても、第１ツマミ２３及び第２ツマミ２４等を指先で挟むことが可能なサイズで確保することが可能である。
【００７１】
本実施形態の包装用容器１の本体２では、四つの隅部３の一つが、第１ツマミ２３及び第２ツマミ２４等が突き出た特定隅部５であって、四つの隅部３の中で最も大きく面取り形成がなされたものである。この点は、蓋６の特定隅部９についても、同様である。そのため、本実施形態の包装用容器１は、四つの隅部３，７の全てを第１ツマミ２３及び第２ツマミ２４等の突出スペース確保等のために大きく面取りする場合と比べると、容量の減少を抑えることが可能である。
【００７２】
本実施形態の包装用容器１は、その四つの辺部４，８で形成される外寸矩形Ａから第１ツマミ２３及び第２ツマミ２４等が飛び出しておらず、輸送時等の不可抗力で第１ツマミ２３及び第２ツマミ２４等が千切れることが困難なので、第１ツマミ２３及び第２ツマミ２４等が千切れることによって生じる、密封性や未開封に対する疑念が防止される。
【００７３】
本実施形態の包装用容器１では、本体２の異形状部５である特定隅部５に第１ツマミ２３及び第２ツマミ２４等が設けられており、本体２と蓋６との間で対向状態にある異形状部５，９が、第１ツマミ２３及び第２ツマミ２４（つまり、上側周壁１９が本体２から切り離される起点）の位置を示すので、上記開封操作情報の表示機能として働く。
【００７４】
ちなみに、本実施形態において、本体２の四つの隅部３と蓋６の四つの隅部７は、「四隅」の一例である。本体２の四つの辺部４と蓋６の四つの辺部８は、「四辺」の一例である。上側周壁１９は、「バンド」の一例である。第１ツマミ２３と第２ツマミ２４は、「ツマミ」の一例である。
【００７５】
（４）変更例
尚、本発明は上記実施形態に限定されるものでなく、その趣旨を逸脱しない範囲で様々な変更が可能である。
例えば、本体２及び蓋６の異形状部５，９は、本体２及び蓋６の外周から突き出し又は入り込んだ形状であってもよい。そのような場合でも、本体２の第１ツマミ２３及び第２ツマミ２４と蓋６との相対的位置関係が、本体２の異形状部５及び蓋６の異形状部９で定まるので、本体２の異形状部５及び蓋６の異形状部９によって、第１ツマミ２３及び第２ツマミ２４（つまり、上側周壁１９が本体２から切り離される起点）の位置を示すことが可能である。
【００７６】
また、第１ツマミ２３及び第２ツマミ２４等は、本実施形態とは異なり、本体２の異形状部５である特定隅部５に設けられず、特定隅部５以外の三つの隅部３のいずれかに、あるいは、四つの辺部４のいずれかに設けられてもよい。そのような場合でも、本体２の第１ツマミ２３及び第２ツマミ２４と蓋６との相対的位置関係が、本体２の異形状部５及び蓋６の異形状部９で定まるので、本体２の異形状部５及び蓋６の異形状部９によって、第１ツマミ２３及び第２ツマミ２４（つまり、上側周壁１９が本体２から切り離される起点）の位置を示すことが可能である。
【００７７】
また、平面視の包装用容器１は、略円形状をなしてもよいし、略矩形状を除く略多角形状等をなしてもよい。
【００７８】
また、情報表示領域Ｂは、蓋６において、異形状部９に隣接していれば、縮小又は拡張されてもよい。
【符号の説明】
【００７９】
１    包装用容器
２    本体
３    本体の隅部
４    本体の辺部
５    本体の特定隅部、異形状部
６    蓋
７    蓋の隅部
８    蓋の辺部
９    蓋の特定隅部、異形状部
１９    上側周壁
２３    第１ツマミ
２４    第２ツマミ
Ａ    外寸矩形
Ｂ    情報表示領域
【図１】
2020175941.tif 000003
【図２】
2020175941.tif 000004
【図３】
2020175941.tif 000005
【図４】
2020175941.tif 000006
【図５】
2020175941.tif 000007
【図６】
2020175941.tif 000008
【図７】
2020175941.tif 000009
【図８】
2020175941.tif 000010
【図９】
2020175941.tif 000011
【図１０】
2020175941.tif 000012
【図１１】
2020175941.tif 000013